(57)【要約】      （修正有）【課題】入射する太陽光の有効波長域における吸収・利用効率を高め、太陽光発電装置の設置面積あたりの発電効率を高める太陽光発電装置を提供する。【解決手段】太陽光発電装置に於いて、太陽電池パネル１を太陽光入射方向に於いて複数設置し、且つ、太陽電池パネル１はその受光面が入射光に対し異なった角度で設置され、入射する太陽光を有効に吸収し発電する。【選択図】図１
2020096493.tif 000002
【特許請求の範囲】
【請求項１】
太陽光発電装置であって、太陽電池パネルが太陽光入射方向に於いて複数設置され、且つ、該太陽電池パネルはその受光面が入射光に対し異なった角度で設置され、入射する太陽光を有効に吸収し発電することを特徴とする、太陽光発電装置。
【請求項２】
該太陽電池パネルは、２枚のパネルがＸ字状に組み合わされたユニットが複数連接されてなることを特徴とする、請求項１記載の太陽光発電装置。
【請求項３】
該太陽電池パネルは、個々の太陽電池パネルの中央部に、そのパネル幅の略半分の長さの切り込み部を有し、該切り込み部を互いに組み合わせることで、２枚のパネルがＸ字状に組み合わされたユニットを形成することを特徴とする、請求項２記載の太陽光発電装置。
【請求項４】
該２枚のパネルがＸ字状に組み合わされたユニットは、太陽光の入射方向と逆側の面に反射板を備えてなることを特徴とする、請求項１乃至４の何れか一に記載の太陽光発電装置。
【発明の詳細な説明】
【技術分野】
【０００１】  本発明は、太陽光発電装置に関するものである。
【背景技術】
【０００２】  太陽光発電は、クリーンエネルギーの中核としてその重要性は誰もが認めるものとなっている。【０００３】  その発電効率を決定する要素の一つにソーラーパネルの太陽光の吸収効率が挙げられる。当然にオーラーパネルの主力であるアモルファスシリコン太陽電池には波長依存性があり、特定の波長に吸収ピークを有する。しかし、一方でアモルファスシリコンの光吸収率はピーク近傍においてもさほど高くなく、透過して使われない光成分も多かった。【０００４】  これに対応するため、凹凸シートで入射光を偏向させ、発電層での吸収量を増大させるといった提案もなされている。（特許文献１参照）
【先行技術文献】
【特許文献】
【０００５】
【特許文献１】特許第５６４０９５２号公報
【発明の概要】
【発明が解決しようとする課題】
【０００６】  本発明の解決せんとする課題は、入射する太陽光の有効波長域における吸収・利用効率を高め、太陽光発電装置の設置面積あたりの発電効率を高めることによって経済性の向上を図ることである。
【課題を解決するための手段】
【０００７】  本発明はこの課題を解決する太陽光発電装置である。【０００８】  本発明は、太陽電池パネルが太陽光入射方向に於いて複数設置され、且つ、該太陽電池パネルはその受光面が入射光に対し異なった角度で設置され、入射する太陽光を有効に吸収し発電することを特徴とする、太陽光発電装置である。【０００９】  また本発明は、該太陽電池パネルが、２枚のパネルがＸ字状に組み合わされたユニットが複数連接されてなることを特徴とする。【００１０】  また本発明は、該太陽電池パネルが、個々の太陽電池パネルの中央部に、そのパネル幅の略半分の長さの切り込み部を有し、該切り込み部を互いに組み合わせることで、２枚のパネルがＸ字状に組み合わされたユニットを形成することを特徴とする。【００１１】  また本発明は、該２枚のパネルがＸ字状に組み合わされたユニットは、太陽光の入射方向と逆側の面に反射板を備えてなることを特徴とする。【００１２】  本発明の太陽光発電装置は、簡素な構成でもって入射する太陽光の有効波長域における吸収・利用効率を高め、太陽光発電装置の設置面積あたりの発電効率を高めることができる。
【発明の効果】
【００１３】  本発明に係る太陽光発電装置は、簡素な構成でもって入射する太陽光の有効波長域における吸収・利用効率を高め、太陽光発電装置の設置面積あたりの発電効率を高めることができる。ここで、通常の１面のみの太陽光発電装置に比べて材料費が多くかかることは自明であるが、近年は太陽電池パネルそのものの面積単価の低下が著しいため、そのコストデメリットは微小であって、設置面積あたりの発電効率の向上による効果は大である。
【図面の簡単な説明】
【００１４】
【図１】図１は、本発明に係る太陽光発電装置の構成を説明する概念図である。
【図２】図２は、本発明に係る太陽光発電装置に用いる太陽光パネルの構造を示す概念図である。
【発明を実施するための形態】
【００１５】  本発明は、太陽電池パネルが太陽光入射方向に於いて複数設置され、且つ、該太陽電池パネルはその受光面が入射光に対し異なった角度で設置され、入射する太陽光を有効に吸収し発電することを特徴とする、太陽光発電装置である。
【００１６】  また本発明は、該太陽電池パネルが、２枚のパネルがＸ字状に組み合わされたユニットが複数連接されてなることを特徴とする。
【００１７】  また本発明は、該太陽電池パネルが、個々の太陽電池パネルの中央部に、そのパネル幅の略半分の長さの切り込み部を有し、該切り込み部を互いに組み合わせることで、２枚のパネルがＸ字状に組み合わされたユニットを形成することを特徴とする。
【００１８】  また本発明は、該２枚のパネルがＸ字状に組み合わされたユニットは、太陽光の入射方向と逆側の面に反射板を備えてなることを特徴とする。
【実施例１】
【００１９】  以下、本発明に係る陽光発電装置の構成を図面を用いて説明する。【００２０】  図１は、本発明に係る太陽光発電装置の構成を説明する概念図である。太陽電池パネル１が太陽光入射方向に於いて複数設置され、且つ、該太陽電池パネルはその受光面が入射光に対し異なった角度で設置されている。また、２枚のパネルがＸ字状に組み合わされたユニット２が複数連接する構成とした。【００２１】  該２枚のパネルがＸ字上に組み合わされたユニットは、太陽光の入射方向と逆側の面に反射板３を備えるようにした。【００２２】  かかる構成とすることにより、簡便な構造で入射する太陽光の有効波長域における吸収・利用効率を高め、太陽光発電装置の設置面積あたりの発電効率を高めることによって経済性の向上を図ることができる。【００２３】  入射する太陽光はまず２枚のパネルがＸ字状に組み合わされたユニット２に於いて入射側となる 夫々のパネルの半面に入射し、有効波長域の光が吸収され発電する。しかし、吸収利用される光はその全てではなく、一部は透過して 夫々のパネルの他の半面に入射し、残った有効波長域の光が吸収され発電する。これにより、効率の向上が図れる。【００２４】  さらに、第二の吸収面でも吸収されなかった光は反射板で反射し、再び第二の吸収面、さらに第一の吸収面に達し、その際にも有効波長域の光が吸収され発電することができる。【００２５】  図２は、本発明に係る太陽光発電装置に用いる太陽光パネルの構造を示す概念図である。通常のor寝るとは異なり、個々の太陽電池パネルの中央部に、そのパネル幅の略半分の長さの切り込み部４を有している。この切り込み部を互いに組み合わせることで、２枚のパネルがＸ字状に組み合わされたユニットを形成することができる。
【産業上の利用可能性】
【００２６】  本発明に係る太陽光発電装置は、簡素な構成でもって入射する太陽光の有効波長域における吸収・利用効率を高め、太陽光発電装置の設置面積あたりの発電効率を高めることができる。ここで、通常の１面のみの太陽光発電装置に比べて材料費が多くかかることは自明であるが、近年は太陽電池パネルそのものの面積単価の低下が著しいため、そのコストデメリットは微小であって、設置面積あたりの発電効率の向上による産業上の利用可能性は大であると言える。
【符号の説明】
【００２７】  １    太陽電池パネル  ２    ２枚のパネルがＸ字状に組み合わされたユニット  ３    太陽電池パネル  ４    切り込み部
【図１】
2020096493.tif 000003
【図２】
2020096493.tif 000004